(57)【要約】【課題】可動フックが頑丈で、正確な寸法を有し、それによって織機の信頼性のある操作が保証され、移動方向に対して平行な高さが低い、開口装置を提供する。【解決手段】ジャカード織機の開口装置は、可動フックを備え、この各々の可動フックが上死点の位置と下死点の位置の間でナイフによって動かされ、この上死点であるいは上死点の近くで、各可動フックが選択装置によって動きを阻止される。各可動フックの本体はナイフに接触するキャッチを備えている。各可動フックは更に、選択装置と相互作用する金属製ブレード２１を備え、このブレードが本体２０に対して離間することができるように、キャッチ２０２を延設した本体の領域２０４に関して選択装置とは反対の側の本体の領域２０３において本体に固定されている。【選択図】図３
2004143660.tif 000002
【特許請求の範囲】
【請求項１】
　各々の可動フックが上死点の位置と下死点の位置の間でナイフによって動かされ、この上死点であるいは上死点の近くで、各可動フックが選択装置によって動きを阻止され、各可動フックの本体が前記ナイフに接触するキャッチを備えている、ジャカードタイプの織機の開口装置において、各可動フックが更に、前記選択装置（１５，１６）と相互作用する金属製ブレード（２１）を備え、このブレードが前記本体（２０）に対して離間することができるように（Ｆ3 ）、前記キャッチ（２０２）を延設した前記本体の領域（２０４）に関して前記選択装置とは反対の側の前記本体（２０）の領域（２０３）において前記本体に固定されていることを特徴とする開口装置。
【請求項２】
　前記本体（２０）が合成物質からなり、かつ前記ブレードの部分（２１１）に鋳込み固着されていることを特徴とする、請求項１記載の開口装置。
【請求項３】
　前記本体（２０）が、キャッチ（２０２）と接触するナイフ（１４）と前記本体との相対位置の誤差または相対軌道の平行度の誤差に対して前記本体を適応させる程度に柔軟性を有することを特徴とする、請求項１または２記載の開口装置。
【請求項４】
　前記ブレード（２１）が、選択装置の可動レバー（１６）の旋回を制御するための電磁石（１５）に接触させる力（Ｆ6 ）を、前記可動レバーに加えることを特徴とする、請求項１〜３のいずれか一つに記載の開口装置。
【請求項５】
　前記ブレード（２１）が前記本体（２０）の少なくとも一部を受け入れる窓（２１３）を備えていることを特徴とする、請求項１〜４のいずれか一つに記載の開口装置。
【請求項６】
　前記ブレード（２１）が前記選択装置（１５，１６）に所属する選択キャッチ（３１１）に係合するための少なくとも１つの開口（２１６）を備えていることを特徴とする、請求項１〜５のいずれか一つに記載の開口装置。
【請求項７】
　前記ブレード（２１）が、前記可動フック（１３）を受け入れて並進案内するために、箱（１０）の溝（１０ｂ）内でスライドする２個の側板（２１２，２１２′）を備え、それによって前記本体（２０）が前記箱と相対的に位置決めされることを特徴とする、請求項１〜６のいずれか一つに記載の開口装置。
【請求項８】
　前記溝（１０ｂ）が前記選択装置（１５，１６）の近くにおいて前記箱（１０）の外側に向かって広がっているかあるいは開放していることを特徴とする、請求項７記載の開口装置。
【請求項９】
　前記保持装置が少なくとも１本の保持レバー（１６）を備えている、請求項１〜８のいずれか一つに記載の開口装置において、前記保持レバーがその位置を制御するための電磁石（１５）と相互作用し、非磁性部分（３１）が前記金属製ブレード（２１）と協働しかつ前記アーマチュアに固定されたキャッチ（３１１）内の要素を形成していることを特徴とする開口装置。
【請求項１０】
　前記保持レバー（１６）が固定ピン（１０ａ）に枢着され、前記開口装置の作動中、保持レバーが固定ピンからほぼ下方に延びていることを特徴とする、請求項９記載の開口装置。
【請求項１１】
　前記保持レバー（１６）が少なくとも１個の偏向板（１６１，１６２）を備え、この偏向板が、前記アーマチュア（３０）と前記電磁石（１５）との相互作用領域（Ｚ1 ）を含むチャンバを、外側に対して隔離することを特徴とする、請求項９または１０記載の開口装置。
【請求項１２】
　少なくとも１個の前記偏向板（１６２）が前記保持レバー（１６）の主要な部分（１６ａ）の両側で延びていることを特徴とする、請求項１１記載の開口装置。
【請求項１３】
　少なくとも１個の前記偏向板（１６２）が、前記チャンバ（Ｚ1 ）と前記保持レバー（１６）に隣接するフック（１３）との間に配置されていることを特徴とする、請求項１１または１２記載の開口装置。
【請求項１４】
　前記保持レバー（１６）が箱（１０）に対して固定されたピン（１０ａ）に枢着され、この箱が前記電磁石を周囲雰囲気から隔離し、前記保持レバーが前記箱の内側と外側で延び、前記シール手段（１０ｅ）が前記箱と前記保持レバーの円形部分（３０５）との間に、前記軸とほぼ同軸に設けられていることを特徴とする、請求項９記載の開口装置。
【請求項１５】
　前記選択装置が電磁石を備えている、請求項１〜１４のいずれか一つに記載の開口装置において、前記電磁石（１５）が前記保持フック（１３）を分離および案内するための箱（１０）の一方の側に鋳込み固着されていることを特徴とする開口装置。
【請求項１６】
　請求項１〜１５のいずれか一つに記載の開口装置（７〜３０６）を備えた織機（Ｍ）。
【発明の詳細な説明】
【技術分野】
【０００１】
　本発明は、開口装置と、このような開口装置を備えた織機に関する。
【背景技術】
【０００２】
　ジャカードタイプの織機において、開口装置はたて糸が通過するアイを有するヘルドを選択的に持上げる。このたて糸は、フックの位置によって付勢される。フックには、織機によって移動させられるよこ糸の上方または下方において、ヘルドの上端が固定されている。例えば特許文献１に開示されたこのような公知の開口装置は特に可動フックを備え、この可動フックはナイフと協働可能な側方のキャッチを備えている。このナイフは逆位相で垂直方向往復運動によって作動する。各々の可動フックは形状部を保持レバーと協働させることによって動かないようにすることができる湾曲した端部を備えている。
【０００３】
　各々の可動フックは保持レバーの移動を制御する、フックと一体の弾性舌片を備えている。このような舌片は比較的に強い力を繰り返し受け、クリープによって永久変形し、破壊され得る。その際、得られるひ口は“欠陥”がある。
【特許文献１】欧州特許出願公開第０２１９４３７号公報
【発明の開示】
【発明が解決しようとする課題】
【０００４】
　本発明の目的は、可動フックが頑丈で、正確な寸法を有し、それによって織機の信頼性のある操作が保証され、移動方向に対して平行な高さが低い、開口装置を提案することによって、上記の欠点を克服することである。これは、コンパクトな開口装置ひいては省スペースと改良された経済的効果を生じることができる。
【課題を解決するための手段】
【０００５】
　この課題を解決するために、本発明は、各々の可動フックが上死点の位置と下死点の位置の間でナイフによって動かされ、この上死点であるいは上死点の近くで、各可動フックが選択装置によって動かないように固定され、各可動フックの本体がアイフに接触するキャッチを備えている、ジャカードタイプの織機の開口装置に関する。この開口装置は、各可動フックが更に、選択装置と相互作用する金属製ブレードを備え、このブレードが本体に対して離間することができるように、キャッチを延設した本体の領域に関して選択装置とは反対の側の本体の領域において本体に固定されていることを特徴とする。
【０００６】
　本発明により、可動フックは２つの部分的な性質を有する。その際、本体は合成物質で製作され、フックとナイフの間の機械的な連動のために本体が頑丈になり一方、金属製ブレードの形状はきわめて正確に定められ、これは、可動フックと選択装置との相互作用の信頼性を高める。フックが開口装置の作動状態にあるときに、金属製ブレードが本体の下側部分に固定されているので、ブレードのほぼ全高にわたるブレードの可撓性が、選択装置の対応する部分と係合するその部分の横方向移動のために利用可能である。ブレードとフックの相対運動が可能であることは、ブレードの柔軟性および／または本体の柔軟性によってもたらされる。
【０００７】
　本発明の有利で非義務的な形態によれば、この開放装置は従属請求項の１つまたは複数の特徴を含んでいる。
【０００８】
　特に、選択装置の電磁石は、可動フックを受け入れるためおよび可動フックを並進案内するために箱の一方の側に鋳込み固着（成形されて固着）されている。このような鋳込み固着は、保持レバーのピン、ストッパーこの保持レバーの支承部材および可動フックを案内するための溝のような装置の他の機能部品に対して、電磁石を正確に位置決めする。この高い精度により、可動部品の運動の振幅、特に保持レバーの往復運動と可動ックのブレードの曲がりを小さくすることができる。これは機構をコンパクトにする。
【０００９】
　本発明は更に、上記の開口装置を備えた織機に関する。
【発明を実施するための最良の形態】
【００１０】
　次に、図を参照して本発明の原理に従う開口装置の３つの実施の形態を例示的にのみ説明する。この説明を読むことにより、本発明が一層容易に理解され、本発明の他の効果が一層明らかになるであろう。
【００１１】
　図を参照すると、図１は織機Ｍを示している。この織機では、ひと巻のたて糸１がビーム２から来る。各々のたて糸１はヘルド３のアイ３ａを通過する。このヘルドは、リール４に巻き取られる布を形成するためによこ糸の通過を許容する目的でひ口を開口する。図１にはヘルド３，３′が２個だけ示してあり、ヘルド３は上側位置にあり、ヘルド３′は下側位置にある。各々のヘルドの下端は引張りばね５によって織機のフレームに連結され、上端は通糸６に固着されている。
【００１２】
　電子制御ユニット８に関連づけられた開口装置７は、ばね５によって加えられる戻し力に抗して通糸６を多少持ち上げることができる。ヘルド３に関連づけられた通糸についてのみ示すように、各通糸の一端６ａは開口装置７の箱１０に固着されている。この通糸はコード１２によって懸吊された滑車１１を通過している。このコードの両端はそれぞれ、可動のフック１３に固着されている。このフックは矢印Ｆ2 によって示すように、反対の位相で垂直方向の往復運動によって付勢されるナイフ１４によって選択的に持上げられる。
【００１３】
　図１には、見やすくするために、開口装置を形成する要素の一部だけが示してある。
【００１４】
　図２〜４に一層詳しく示すように、各々のフック１３はプラスチック材料からなる本体２０を備えている。この本体の下端２０１内にはコード１２の端部１２ａが鋳込み固着されている。
【００１５】
　本体２０は単一キャッチ２０２を形成している。このキャッチは本体２０の縦軸線Ｘ−Ｘ′に対して側方に延びている。このキャッチ２０２はナイフ１４の上面１４ａに接触する。従って、フック１３は単一ナイフ１４によって的確に持上げられる。
【００１６】
　構成材料を考慮すると、本体２０は或る程度の柔軟性を有し、この本体およびそれに関連するナイフ１４の位置および各々の軌道の平行度の誤差に対して本体を適合させることができる。本体２０がこのように弾性変形可能であることは図２において両方向矢印Ｆ20で示してある。特に、本体２０の柔軟性はナイフ１４上でのキャッチ２０２の自己位置決めを可能にする。
【００１７】
　フック１３は本体２０内に部分的に鋳込み固着された金属製ブレード２１を備えている。ブレード２１は本体２０の領域２０３内に鋳込み固着された部分２１１を備えている。この領域は下端２０１の近くに位置する。すなわち、この領域はキャッチ２０２が側方に延びている本体２０の部分２０４の下方に位置する。
【００１８】
　部分２１１は下方に開口している。それによって、コード１２の端部１２ａを通過させることができる。それによって、コードは比較的な長い長さＬ12にわたって本体２０内に鋳込んで固着することができる。
【００１９】
　ブレード２１はその部分２１１の上方で長さＬ21にわたって延びている。この長さはブレード２１の全体長さＬ′21に関して比較的に長い。
【００２０】
　ブレード２１は２つの側板２１２，２１２′を備えている。この側板の間に窓２１３が形成され、この窓内には本体２０の主要な部分が収容されている。
【００２１】
　側板２１２，２１２′は窓２１３を越えて湾曲端部２１４まで延びている。側板２１２，２１２′は横材２１５によって連結されている。この横材はブレード２１の部分２１２，２１２′，２１４，２１５によって形成された開口２１６から窓２１３を分離している。
【００２２】
　要素２０，２１の各々の固定モードを考慮すると、これらの要素はフック１３の下側部分に固着されている。一方、本体２０の領域２０３の上方で長さＬ21にわたって延びるブレード２１の部分は、図３において両方向矢印Ｆ3 によって示すように、側方に離間（弾性変形）することができる。この側方の離間Ｆ3 は実際には、本体２０に対するブレード２１の離間に一致している。
【００２３】
　開口装置７は更に、箱１０の部分内に鋳込み固着された電磁石１５を備えている。この鋳込みは箱１０と、この箱を支持または案内する要素とに対して、電磁石１５を正確に位置決めする。
【００２４】
　箱１０は２本の固定ピン１０ａを備えている。この固定ピンには２本の保持レバー１６が枢着されている。この保持レバーはそれぞれ、コード１２の２つの端部に連結された２個の可動フック１３と協働する。
【００２５】
　各々の保持レバー１６は金属製のアーマチュア３０を備えている。このアーマチュアはピン１０ａの外径に適合する円形横断面の円筒状穴３０１を有する。その結果、アーマチュア３０は図２において矢印Ｆ4 によって示すように、ピン１０ａの回りに旋回できるように取付け可能である。各々のアーマチュア３０の穴３０１はこのアーマチュアの一端３０２に形成されている。
【００２６】
　アーマチュア３０はその反対側の端部３０３において、合成物質、特にプラスチック材料のような非磁性材料からなる本体３１に鋳込み固着されている。本体３１は可動のフック１３をその上死点位置の近くで保持するためのキャッチ３１１を形成している。本体３１は更に、ばね３２に対して位置決めするためのヒール３１２を備えている。このばねはレバー１６を箱１０の外側の方に旋回させる力Ｆ5 を本体３１に加える。この力は隣接する可動のフックのブレード２１の開口２１６内にキャッチ３１１を侵入させようとする。このキャッチは可動のフックを上側位置に保持することができる。
【００２７】
　レバー１６の金属製アーマチュア３０は、電磁石１５によってその旋回を制御可能である。レバー１６はブレード２１の湾曲端部２１４によって動くことができ、電磁石１５が作動するときに力Ｆ5 に抗して位置を保持することができる。
【００２８】
　本体３１は金属と金属を接触させずに、保持レバー１６と可動のフック１３の効果的な相互作用を可能にする。
【００２９】
　レバー１６はそれぞれ偏向板１６１を備えている。この偏向板は箱１０の枢着軸１０ａと領域Ｚ1 の間で、レバーの主要な部分１６ａに対して箱１０の中心軸線Ｘ10−Ｘ′10の方に突出している。この領域Ｚ1 内では、アーマチュア３０が電磁石１５に接触することができる。第２の偏向板１６２は領域Ｚ1 と隣接するフック１３との間に設けられている。この偏向板１６１，１６２は箱１０内に形成された溝１０１，１０２内でレバー１６と共に動くことができる。これにより、偏向板は領域Ｚ1 を隔離することができ、それに伴い汚染物質、特にフック１３によって運ばれ得るフロックに対して保護された閉鎖室を形成する。
【００３０】
　箱１０におけるピン１０ａの位置決めとレバー１６の形状を考慮すると、このレバーはこれらの固定されたピンから下方にのみ延びている。この構造は、例えば欧州特許出願公開第０２１９４３７号公報に記載されているような、レバーが枢着軸から両側に延びる開口装置と比べて、開口装置７をコンパクトにする。
【００３１】
　更に、フック１３のブレード２１の側板２１２，２１２′は、図２に示すように、箱１０の高さにわたって形成された溝１０ｂ内をスライドする。図２には、コード１２が一部で示してあるので、溝１０ｂが見える。これにより、箱１０と相対的なレバー１３の案内が正確にかつ最小の摩耗で行われる。図２Ａ，２Ｂに示すように、箱１０の各々の溝１０ｂは２個のリブ１０ｆ，１０ｆ′によって画成されている。このリブの間で溝が延びている。これにより、溝によって収容される側板２１２または２１２′が効果的に案内される。キャッチ２０２の上側の凸形部分が図２において右側に位置している限り、各々のリブはほぼ箱１０の底のこの形状をなしている。この場合、リブ１０ｆは除去され、リブ１０ｆ′は上方に延びている。溝の外側のエッジ１０ｆ′が除去され、溝が保持レバー１６の近くで箱の外側の方に開放していると、レベリングＦ6 の作用を及ぼすために、ブレード２１が図２において左側に示すように隣接する保持レバー１６に接触するときに、図２Ａの矢印Ｆ7 の方向のブレード２１の外向きの離間が可能となる。
【００３２】
　実際には、ブレード２１の不可欠な曲げは、溝１０ｂが外側エッジを備えていない箱１０の部分のレベルで行われる。この部分は、図２において右側のキャッチ２０２の上部の位置と、レベリング中のブレード２１とレバー１６の相互作用領域との間で、高さＨにわたって延びている。
【００３３】
　本発明の変形（図示していない）では、溝１０ｂの外側エッジを形成するリブ１０ｆ′について、高さＨにわたって除去しないで、ブレード２１のために充分な遊びスペースを生じるためにリブ１０′から逸脱させることができる。
【００３４】
　図示した実施の形態と上記の変形において、要素１５，１６の近くで外側の方に溝１０ｂを広げたり開放することは、この領域でのブレード２１の曲がりを許容することを目的とする。
【００３５】
　仏国特許出願公開第２７５２２４６号公報記載の発明の技術的な教示に従って、ばね４１によって弾性的に付勢されるストッパー４０が、２個の可動フック１３のスライド軌道の間において箱１０のスタッド１０ｃに接触して取付けられている。この弾性ストッパー４０は各々の本体２０の端部２０１の近くに形成されたヒール２０５と協働する。要素２０５と４０のそれぞれの位置決めを考慮すると、この相互作用は、各可動フック１３が上死点のその位置の近くに達するときに起こる。この配置構造は、可動フックの不可欠の慣性力や摩擦力に打ち勝つことができる。これは逆向きの運動を容易にし、ナイフ１４のような駆動用機械部品と通糸またはばね５のような弾性的な戻りのための機械部品と通糸の採寸を最適化することができる。
【００３６】
　ブレード２１の湾曲端部２１４は、各レバー１６の本体によって形成された傾斜路３１３に対して接触しかつ力Ｆ6 を加えることができるように採寸されている。レバー１６に対するフック１３の瞬間的な接触は、レバー１６をレベリングすることができる。すなわち、電磁石１５に接触させることができる。これはブレード２１の曲がりによって弾性的に付勢されて行われる。このブレードは欧州特許出願公開第０２１９４３７号公報に記載された弾性的な舌片の機能を発揮する。従って、ブレード２１はレベリングの機能を発揮する。
【００３７】
　図５に示した本発明の第２の実施の形態において、第１の実施の形態の要素と類似する要素には同じ参照符号が付けてある。前述のように、ナイフ１４は可動フック１３を選択的に動かすことができる。このフックは合成物質からなる本体２０と、弾性的な金属製ブレード２１を備えている。このブレードは実質的に、本体に固定された領域から上方に延びている。保持レバー１６は電磁石１５に関連して設けられている。
【００３８】
　この実施の形態において、保持レバー１６は箱１０に対して固定されたピン１０ａの回りに枢着されている。箱１０が周囲雰囲気から電磁石１５を隔離することができる隔壁１０ｄを備えている限り、仏国特許出願公開第０５７７５２４号公報記載の発明の技術的な教示が適用される。各レバー１６は両方向矢印Ｆ4 によって示すように、ピン１０ａに枢着され、アーマチュア３０を備えている。このアーマチュアはそれを取付けたピン１０ａの両側で延びている。正確に言うと、各アーマチュア３０は中央部分３０５から上方に延びる第１のアーム３０４を備えている。この中央部分にはピン１０ａを収容するための円形穴３０１が形成されている。アーム３０４は電磁石１５の作動の結果として電磁石と相互作用する。アーマチュア３０は更にアーム３０６を備えている。このアームは部分３０５に関してアーム３０４と反対側に延びている。このアーム３０６はプラスチック材料で作られた本体３１に鋳込み固着されている。この本体はフック１３のブレード２１の開口２１６と相互作用する。本体３１は更に、ブレード２１の湾曲した上端２１４と相互作用する間に使用されるレバー１６の位置のレベリングのための傾斜路３１３を形成している。その際、ブレード２１は電磁石１５に向かってアーマチュア３０の変位の力Ｆ6 をレバー１６に加える。
【００３９】
　電磁石１５を効果的に隔離するために、箱１０の隔壁１０ｄは部分３０５の円筒形の外面３０５ａの近くに配置されたＯリング１０ｅを備えている。これにより、軸１０ａ回りのレバー１６の配向とは無関係に、申し分のない封止が保証される。
【００４０】
　変形では、隔壁１０ｄは面３０５ａに対して狭い隙間を有する。この場合、隔壁１０ｄの端部が塵埃を封止する手段を形成するので、シール１０ｅは省略可能である。
【００４１】
　図６に示した第３の実施の形態では、第１の実施の形態の要素に類似する要素には同じ参照号が付けてある。前述のように、フック１３は合成物質からなる本体２０と、金属製ブレード２１を備えている。このブレードは本体２０の下側部分内に鋳込み固着されている。各フックの本体２０とブレード２１は相対運動Ｆ3 をすることができる。各フックのブレード２１はキャッチ３１１によって位置を保持することが可能である。このキャッチは箱１０によって形成されたピン１０ａの回りに枢着された保持レバー１６の本体３１によって形成されている。
【００４２】
　各レバー１６は領域Ｚ1 のレベルで電磁石１５と相互作用する金属製アーマチュア３０を備えている。この領域では、アーマチュア３０がばね３２によって加えられる弾性力に抗して、電磁石１５に接触することができる。このばねは本体３１のヒール３１２にセンタリングされて支持されている。
【００４３】
　第１の実施の形態の場合のように、偏向板１６１がアーマチュア３０とピン１０ａの間において各レバー１６に設けられている。一方、第２の偏向板１６２がアーマチュア３０と、フック１３のブレード２１と相互作用する本体３１の部分との間に設けられている。この第３の実施の形態の偏向板１６２は、図６の左側と右側に示した位置の間で、箱１０内に形成された溝１０２の中に動くことができる。この偏向板１６２はレバー１６の主要部分１６ａに対して、箱１０の中心軸線Ｘ10−Ｘ′10の方向とそれと反対方向の両方向に突出している。その結果、フロックまたは塵埃の循環がレバー１６と電磁石１５の間と、レバー１６と箱１０のウェブ１０ｇの間の両方で防止される。
【００４４】
　更に、特に図６Ａに示すように、偏向板１６２は図６の平面に対して垂直に、レバー１６の主要部分１６ａから突出している。これにより、アーマチュア３０の方向への汚染物質の上昇が回避される。
【００４５】
　上記のすべての実施の形態において、弾性的なブレード２１は選択機能とレベリング機能を効果的に行う。一方、ブレードは隣接するナイフ１４には接触せず、ナイフとの直接的な相互作用機能は、本体２０のキャッチ２０２に委譲される。同様に、ナイフ１４によって加えられる牽引力を伝達する本体２０は、要素１５，１６からなる選択装置に直接接触しない。
【００４６】
　異なる実施の形態の特徴は、本発明の範囲内で組み合わせることができる。
【００４７】
　本発明は、カーペットやベルベットのために使用される３位置−開口装置と異なる、いわゆる“平らな”織物を織成するために使用される２位置−開口装置に関する。しかし、本発明は、例えば欧州特許第０３９９９３９号公報または仏国特許第２７１５６６６号公報に記載されているような、３位置−ひ口または４位置−ひ口を得ることができる関連する２位置−開口装置の範囲内で使用可能である。
【図面の簡単な説明】
【００４８】
【図１】本発明に適用したジャカードタイプの織機を概略的に示す図である。
【図２】図１の織機の開口装置の拡大縦断面図である。
【図２Ａ】図２のＡ−Ａ線に沿った部分断面図である。
【図２Ｂ】図２のＢ−Ｂ線に沿った部分断面図である。
【図３】図２の開口装置の可動フックと保持レバーの一部の拡大図である。
【図４】図３の矢印ＩＶ方向に見た図である。
【図５】本発明の第２の実施の形態による開口装置の、図２と同様な図である。
【図６】第３の実施の形態による開口装置の部分縦断面図である。
【図６Ａ】図６のＡ−Ａ線に沿った部分断面図である。
【符号の説明】
【００４９】
１０　　　　　箱
１０ａ　　　　固定ピン
１０ｂ　　　　溝
１０ｅ　　　　シール手段
１３　　　　　フック
１４　　　　　ナイフ
１５　　　　　電磁石
１６　　　　　可動レバー
１６ａ　　　　可動レバーの主要部分
２０　　　　　フックの本体
２１　　　　　ブレード
３０　　　　　アーマチュア
３１　　　　　非磁性部分
１６１，１６２　偏向板
２０２　　　　キャッチ
２０３，２０４　　領域
２１１　　　　ブレードの部分
２１２，２１２′　　　側板
２１３　　　　窓
２１６　　　　開口
３０５　　　　円形部分
３１１　　　　選択キャッチ
Ｍ　　　　　　織機
【図１】
2004143660.tif 000003
【図２】
2004143660.tif 000004
【図２Ａ】
2004143660.tif 000005
【図２Ｂ】
2004143660.tif 000006
【図３】
2004143660.tif 000007
【図４】
2004143660.tif 000008
【図５】
2004143660.tif 000009
【図６】
2004143660.tif 000010
【図６Ａ】
2004143660.tif 000011